(57)【要約】【課題】油脂成分を微細気泡に作用させて吸着して脱脂し、浄化部を洗浄することにより、お掃除性を向上させて、効率的に調理時に発生する油脂成分を含有する空気を浄化して屋外に排出する洗浄機能付空気浄化装置を提供することを目的としている。【解決手段】洗浄部１０に微細気泡を発生する微細気泡発生部１３と、微細気泡発生部１３と洗浄部１０とを洗浄水を循環させる循環ポンプ１４と、洗浄部１０から洗浄水を排出する排出ポンプ１５と、排出ポンプ１５によって排出される洗浄水を貯蔵する排出部１６とから構成され、洗浄部１０と微細気泡発生部１３間とを循環ポンプ１４によって洗浄水を循環させて洗浄部１０内に微細気泡発生部１３から微細気泡を供給し、洗浄部１０に貯蔵された微細気泡を含有する洗浄水に浸漬された浄化部の下部の油脂成分を脱離して浄化部を洗浄することを特徴とする洗浄機能付空気浄化装置。【選択図】図１
2011038743.tif 000002
【特許請求の範囲】
【請求項１】
本体と、調理時に発生する油脂成分を含有する空気を吸込ファンによって本体内に吸込み、吸込空気に含有される油脂成分を本体の吸込口と排出口間との通風路内に回転駆動する円盤状の多孔板に付着させて吸込空気から除去する浄化部と、浄化部の下部を収納して洗浄する洗浄部と、から構成される空気浄化装置であって、洗浄水を貯蔵する貯蔵部と、洗浄水を洗浄部に供給する供給手段と、微細気泡を発生する微細気泡発生部と、微細気泡発生部と洗浄部とを洗浄水を循環させる循環手段と、洗浄部から洗浄水を排出する排出手段と、排出手段によって排出される洗浄水を貯蔵する排出部と、から構成され、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の油脂成分を脱離して浄化部を洗浄することを特徴とする洗浄機能付空気浄化装置。
【請求項２】
浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の一部の油脂成分を脱離して浄化部を洗浄した後に、浄化部の多孔板を所定角度回転駆動させて浄化部の他の下部が洗浄水に浸漬された状態になるようにして停止し、再度洗浄する動作を複数回反復して、浄化部を洗浄することを特徴とする請求項１に記載の洗浄機能付空気浄化装置。
【請求項３】
浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の一部の油脂成分を脱離して浄化部を洗浄した後に、排出手段によって排出部に浄化部より脱離した油脂成分を含有した洗浄水を排出して、次に供給手段によって貯蔵部から洗浄部に洗浄液を供給して、浄化部の多孔板を所定角度回転駆動させて停止し、浄化部の他の下部が洗浄水に浸漬された状態になるようにして、再度洗浄する動作を複数回反復して、浄化部を洗浄することを特徴とする請求項１または２に記載の洗浄機能付空気浄化装置。
【請求項４】
浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を低速で回転駆動を継続させて、浄化部に付着した油脂成分を脱離させることを特徴とする洗浄機能付空気浄化装置。
【請求項５】
浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を所定の回転角度間を正転と逆転とを反復回転駆動させて浄化部を洗浄することを特徴とする請求項４に記載の洗浄機能付空気浄化装置。
【請求項６】
浄化部を洗浄した後に、洗浄部と微細気泡発生部間を循環手段によって複数回洗浄水を循環させた後、排出手段によって排出部へ排出し、再度循環手段によって洗浄水を循環させる動作を複数回反復して、洗浄部を洗浄することを特徴とする請求項４記載の洗浄機能付空気浄化装置。
【請求項７】
空気浄化装置の使用時間を積算して、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の油脂成分を脱離して浄化部を洗浄する時間を増減するように制御したことを特徴とする請求項１から６いずれか一つに記載の洗浄機能付空気浄化装置。
【請求項８】
貯水部から供給手段によって洗浄部へ洗浄水が供給される際に、洗浄部に設けられた水位検知手段によって、所定の量の洗浄水を認識できなかった場合、浄化部の洗浄を停止することを特徴とする請求項１から７いずれか一つに記載の洗浄機能付空気浄化装置。
【請求項９】
排出部検出手段を備え、排出部が適切に配置されなかった場合、洗浄部から排出部への洗浄水の排出を停止して、空気浄化装置の使用者に排出部の異常を知らせるように構成したことを特徴とする請求項１から８いずれか一つに記載の洗浄機能付空気浄化装置。
【請求項１０】
洗浄部の動作状態を空気浄化装置の使用者に知らせるお知らせ手段を具備したことを特徴とする請求項１または４いずれか一つに記載の洗浄機能付空気浄化装置。
【請求項１１】
空気浄化装置の浄化部を洗浄部によって所定の回数洗浄した後に、吸込口若しくは吸込空気を屋外へ排出する排出口に設けられた吸込空気の通風量を測定する風量測定部によって検知された通風量が、所定の値を継続して下回った際に、洗浄部を異常と認識するように構成したことを特徴とする請求項１または４に記載の洗浄機能付浄化装置。
【請求項１２】
洗浄部の異常を認識した際に、空気浄化装置の使用者に洗浄部の異常を知らせる異常通知手段を具備したことを特徴とする請求項１１記載の洗浄機能付空気浄化装置。
【発明の詳細な説明】
【技術分野】
【０００１】
本発明は、厨房の調理機器上に設置され、調理時に発生する油脂成分を含有する空気を本体内に吸引して油脂成分を除去し、屋外へ排出する空気浄化装置に関するものである。
【背景技術】
【０００２】
近年、厨房の調理器上方に設置され、厨房の調理時に発生する油脂成分を含有する空気を本体内に吸引して浄化し、空気の油脂成分を除去して屋外へ排出する空気浄化装置が普及している。この種の空気浄化装置には、調理時に発生する油脂成分を含有する油煙の油脂成分を除去するために、空気浄化装置の屋内の空気を吸込む吸込口と屋外へ空気を排出する排出口との間に配置された吸引ファンによって屋内から本体内に吸込まれる吸込空気が通風する通風路内に、多孔板を複数設けて、吸込空気に含有される油脂成分を多孔板に付着することにより捕獲して浄化し、屋外へ排出するものが知られている（例えば、特許文献１）。
【先行技術文献】
【特許文献】
【０００３】
【特許文献１】特開２０００−２１３７８４号公報
【発明の概要】
【発明が解決しようとする課題】
【０００４】
上記従来の技術においては、浄化部に油脂成分を付着させて空気浄化を行う構成のため、通風量低下によって空気浄化性能が低下することを抑制するために、空気浄化装置の使用者が浄化部の多孔板を清掃する必要があった。しかし、調理機器上方に設置された空気浄化装置の清掃は非常に煩わしいため、洗浄機能付空気浄化装置が求められている。
【０００５】
本発明は上述の課題を解決するもので、洗浄部と微細気泡発生部間とを循環手段によって洗浄水を循環させて洗浄部内に微細気泡を供給し、洗浄部に貯蔵された微細気泡を含有する洗浄水に浸漬された浄化部の下部の油脂成分を微細気泡に作用させて吸着して脱脂し、浄化部を洗浄することにより、お掃除性を向上させて、効率的に調理時に発生する油脂成分を含有する空気を浄化して屋外に排出する洗浄機能付空気浄化装置を提供することを目的としている。
【課題を解決するための手段】
【０００６】
本発明の洗浄機能付空気浄化装置は、上記の目的を達成するために、調理時に発生する油脂成分を含有する空気を吸込ファンによって本体内に吸込み、吸込空気に含有される油脂成分を本体の吸込口と排出口間との通風路内に配置した回転駆動する円盤状の複数の多孔板に付着させて吸込空気から除去する浄化部と、浄化部の下部を収納して洗浄する洗浄部と、から構成される空気浄化装置であって、洗浄水を貯蔵する貯蔵部と、洗浄水を洗浄部に供給する供給手段と、微細気泡を発生する微細気泡発生部と、微細気泡発生部と洗浄部間とを洗浄水を循環させる循環手段と、洗浄部から洗浄水を排出する排出手段と、排出手段によって排出される洗浄水を貯蔵する排出部と、から構成され、洗浄部と微細気泡発生部間とを循環手段によって洗浄水を循環させて、洗浄部内に微細気泡発生部から発生した微細気泡を供給し、洗浄部に貯蔵された微細気泡を含有する洗浄水に浸漬された浄化部の多孔板の油脂成分に微細気泡を作用させて吸着して脱脂し、浄化部を洗浄することを特徴としている。
【０００７】
この手段により、浄化部に付着した吸込空気に含有される油脂成分を洗浄部内に微細気泡発生部から供給された微細気泡を作用させて浄化部から脱脂し、空気浄化装置のお掃除性を向上させて、通風量の低下を防止することのできる洗浄機能付空気浄化装置を提供することができる。
【０００８】
また、本発明の洗浄機能付空気浄化装置は、上記の目的を達成するために、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を低速で回転駆動を継続して、浄化部に付着した油脂成分を脱脂させることを特徴としている。
【０００９】
この手段により、洗浄水に微細気泡発生部より微細気泡を供給した状態で、浄化部の多孔板を洗浄することにより、微細気泡を作用させて吸着し、浄化部に付着した油脂成分を脱脂させると共に遠心力による油脂成分の剥離作用の相乗効果によって、効率的に浄化部を洗浄することができ、お掃除性を向上させた洗浄機能付空気浄化装置を提供することができる。
【発明の効果】
【００１０】
本発明によれば、調理時に発生する油脂成分を含有する空気を吸込ファンによって本体内に吸込み、吸込空気に含有される油脂成分を本体の吸込口と排出口間との通風路内に回転駆動する円盤状の多孔板に付着させて吸込空気から除去する浄化部と、浄化部の下部を収納して洗浄する洗浄部と、から構成される空気浄化装置であって、洗浄水を貯蔵する貯蔵部と、洗浄水を洗浄部に供給する供給手段と、微細気泡を発生する微細気泡発生部と、微細気泡発生部と洗浄部とを洗浄水を循環させる循環手段と、洗浄部から洗浄水を排出する排出手段と、排出手段によって排出される洗浄水を貯蔵する排出部と、から構成され、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の油脂成分に微細気泡を作用させて吸着して脱脂し、浄化部を洗浄して、空気浄化装置のお掃除性を向上させると共に通風量の低下を防止することができる洗浄機能付空気浄化装置を提供することができる。
【００１１】
また、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を低速で回転駆動を継続して、浄化部に付着した油脂成分を脱脂させることを特徴としている。
【００１２】
この手段により、洗浄水に微細気泡発生部より微細気泡を供給した状態で、浄化部の多孔板を洗浄することにより、微細気泡を作用させて吸着し、浄化部に付着した油脂成分を脱脂させると共に遠心力による油脂成分の剥離作用の相乗効果によって、効率的に浄化部を洗浄することができ、お掃除性を向上させた洗浄機能付空気浄化装置を提供することができる。
【図面の簡単な説明】
【００１３】
【図１】本発明の実施の形態１の洗浄機能付空気浄化装置を示す側面概略構成図
【図２】本発明の実施の形態２の洗浄機能付空気浄化装置を示す側面概略構成図
【図３】本発明の実施の形態３の洗浄機能付空気浄化装置を示す側面概略構成図
【図４】本発明の実施の形態４の洗浄機能付空気浄化装置を示す側面概略構成図
【図５】本発明の実施の形態５の洗浄機能付空気浄化装置を示す側面概略構成図
【発明を実施するための形態】
【００１４】
本発明の請求項１記載の洗浄機能付空気浄化装置は、本発明の洗浄機能付空気浄化装置は、上記の目的を達成するために、調理時に発生する油脂成分を含有する空気を吸込ファンによって本体内に吸込み、吸込空気に含有される油脂成分を本体の吸込口と排出口間との通風路内に回転駆動する円盤状の多孔板に付着させて吸込空気から除去する浄化部と、浄化部の下部を収納して洗浄する洗浄部と、から構成される空気浄化装置であって、洗浄水を貯蔵する貯蔵部と、洗浄水を洗浄部に供給する供給手段と、微細気泡を発生する微細気泡発生部と、微細気泡発生部と洗浄部とを洗浄水を循環させる循環手段と、洗浄部から洗浄水を排出する排出手段と、排出手段によって排出される洗浄水を貯蔵する排出部と、から構成され、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の多孔板の下部の油脂成分を脱脂して浄化部を洗浄する洗浄機能付空気浄化装置であって、浄化部に付着した吸込空気に含有される油脂成分を洗浄部内に微細気泡発生部から供給された微細気泡によって浄化部から脱脂させるという作用を有し、空気浄化装置のお掃除性を向上させて、通風量の低下を防止することができるという効果を奏する。
【００１５】
本発明の請求項２記載の洗浄機能付空気浄化装置は、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の一部の油脂成分を脱脂して浄化部を洗浄した後に、浄化部の多孔板を所定角度回転駆動させて浄化部の他の下部が洗浄水に浸漬された状態になるようにして停止し、再度洗浄する動作を複数回反復して、浄化部を洗浄する洗浄機能付空気浄化装置であって、浄化部に付着した吸込空気に含有される油脂成分を洗浄部内に微細気泡発生部から供給された微細気泡によって浄化部から脱脂し、浄化部の吸込空気に含有される油脂成分させて除去する多孔板を回転駆動させて、未洗浄部分を洗浄部に移動させて、微細気泡発生部から供給された微細気泡を含有する洗浄水によって、洗浄部の多孔板に付着した油脂成分を脱脂させるという作用を有し、お掃除性を向上させて、通風量の低下を防止することができるという効果を奏する。
【００１６】
本発明の請求項３記載の洗浄機能付空気浄化装置は、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬された浄化部の下部の一部の油脂成分を脱脂して浄化部を洗浄した後に、排出手段によって排出部に浄化部より脱脂した油脂成分を含有した洗浄水を排出して、次に供給手段によって貯蔵部から洗浄部に洗浄液を供給して、浄化部の多孔板を所定角度回転駆動させて停止し、浄化部の他の下部が洗浄水に浸漬された状態になるようにして、再度洗浄する動作を複数回反復して、浄化部を洗浄する洗浄機能付空気浄化装置であって、洗浄部の洗浄水に脱脂した浄化部に付着した油脂成分を排出した後に、再度浄化部を洗浄するという作用を有し、お掃除性を向上させて、通風量の低下を防止することができるという効果を奏する。
【００１７】
本発明の請求項４記載の洗浄機能付空気浄化装置は、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を低速で回転駆動を継続させて、浄化部に付着した油脂成分を脱脂させる洗浄機能付空気浄化装置であって、洗浄水に微細気泡発生部より微細気泡を供給した状態で、浄化部の多孔板を洗浄することができ、微細気泡による油脂成分の脱脂作用と遠心力による油脂成分の剥離作用の相乗効果によって効率的に浄化部を洗浄するという作用を有し、お掃除性を向上させるという効果を奏する。
【００１８】
本発明の請求項５記載の洗浄機能付空気浄化装置は、浄化部の下部が洗浄部に貯蔵された洗浄水に浸漬された状態で、洗浄部と微細気泡発生部間とを循環手段によって洗浄水を循環させて洗浄部内に微細気泡発生部から微細気泡を供給し、浄化部の下部が洗浄部の洗浄水に浸漬した状態で多孔板を所定の回転角度間を正転と逆転とを反復回転駆動させて浄化部を洗浄する洗浄機能付空気浄化装置であって、洗浄水に微細気泡発生部より微細気泡を供給した状態で、浄化部の多孔板を洗浄する際に微細気泡による油脂成分の脱脂作用と、洗浄水と浄化部との摩擦の増加によって洗浄作用を向上さるという作用を有し、この作用によってお掃除性を向上させるという効果を奏する。
【００１９】
本発明の請求項６記載の洗浄機能付空気浄化装置は、浄化部を洗浄した後に、洗浄部と微細気泡発生部間を循環手段によって複数回洗浄水を循環させた後、排出手段によって排出部へ排出し、再度循環手段によって洗浄水を循環させる動作を複数回反復して、洗浄部と微細気泡発生部とを洗浄する洗浄機能付空気浄化装置であって、浄化部の洗浄後に、浄化部の多孔板から微細気泡と作用させることにより脱脂された油脂成分を含有した洗浄水が循環手段によって洗浄部と微細気泡発生部間の流路を流通するため、油脂成分が流路へ付着することを抑制するために、洗浄後に複数回洗浄水を浄化部と微細気泡発生部とを循環させることで、流路内の油脂成分を微細気泡に作用させて吸着して脱脂するという作用を有し、流路内が油脂成分によって目詰まりすることなく、お掃除性を向上させるという効果を奏する。
【００２０】
本発明の請求項７記載の洗浄機能付空気浄化装置は、空気浄化装置の使用時間を積算して、洗浄部と微細気泡発生部間とを循環手段によって洗浄水を循環させて洗浄部内に微細気泡発生部から微細気泡を供給し、洗浄部に貯蔵された微細気泡を含有する洗浄水に浸漬した浄化部の下部の油脂成分を脱脂して浄化部を洗浄する時間を増減するように制御した洗浄機能付空気浄化装置であって、空気浄化装置の使用時間に比例して増加する浄化部の多孔板への油脂成分の付着を自動的に洗浄部に洗浄水を供給して、微細気泡発生部より微細気泡を供給して脱脂するという作用を有し、お掃除性を向上させるという効果を奏する。
【００２１】
本発明の請求項８記載の洗浄機能付空気浄化装置は、貯水部から供給手段によって洗浄部へ洗浄水が供給される際に、洗浄部に設けられた水位検知手段によって、所定の量の洗浄水を認識できなかった場合、浄化部の洗浄を停止する洗浄機能付空気浄化装置であって、洗浄部に設けられた水位検知手段によって、浄化部の水位を検知して浄化部の洗浄を停止させる作用により、浄化部を適切に洗浄できない場合を防止することができ、お掃除性を向上させるという効果を奏する。
【００２２】
本発明の請求項９記載の洗浄機能付空気浄化装置は、排出部検出手段を備え、排出部が適切に配置されなかった場合、洗浄部から排出部への洗浄水の排出を停止して、空気浄化装置の使用者に排出部の異常を知らせるように構成した洗浄機能付空気浄化装置であって、浄化部に付着した油脂成分を脱脂したことにより、排出部が適切に配置されなかった場合に洗浄部の洗浄水に含有される洗浄水が空気浄化装置本体から排出手段によって排出されることを防止して、洗浄部の洗浄水は確実に排出部へ排出されるようにする作用を有し、使用勝手を向上させるという効果を奏する。
【００２３】
本発明の請求項１０記載の洗浄機能付空気浄化装置は、洗浄部の動作状態を空気浄化装置の使用者に知らせるお知らせ手段を具備した洗浄機能付空気浄化装置であって、お知らせ手段の作用により、空気浄化装置の使用者が洗浄部の動作状態を知ることができ、使い勝手を向上させるという効果を奏する。
【００２４】
本発明の請求項１１記載の洗浄機能付空気浄化装置は、空気浄化装置の浄化部を洗浄部によって所定の回数洗浄した後に、吸込口若しくは吸込空気を屋外へ排出する排出口に設けられた吸込空気の通風量を測定する風量測定部によって検知された通風量が、所定の値を継続して下回った際に、洗浄部を異常と認識するように構成した洗浄機能付空気浄化装置であって、吸込空気の通風量を風量測定部によって測定して、洗浄部を異常と認識するという作用を有することで、洗浄部が正常に機能して浄化部に付着する油脂成分による通風量の低下を抑制する本来の洗浄部の動作が不良なために、浄化部に付着する油脂成分によって通風量が低下し、適切な通風量を確保できないことを防止し、お掃除性を向上させるという効果を奏する。
【００２５】
本発明の請求項１２記載の洗浄機能付空気浄化装置は、洗浄部の異常を認識した際に、空気浄化装置の使用者に洗浄部の異常を知らせる異常通知手段を具備した洗浄機能付空気浄化装置であって、空気浄化装置の洗浄部の異常を認識して、異常報知手段の作用により異常を使用者に知らせることができ、空気浄化装置の使い勝手を向上させるという効果を奏する。
【００２６】
以下、本発明の実施の形態について図面を参照しながら説明する。
【００２７】
（実施の形態１）
図１は本発明の実施の形態における洗浄機能付空気浄化装置の構成を示す図である。図１は、本発明の洗浄機能付空気浄化装置の１つの実施形態を示す概略構成図（側面）である。
【００２８】
図１において、本実施の形態１は、空気浄化装置本体１と調理時に発生する油脂成分を含有する空気を吸気モーター２によって駆動される吸込ファン３（例えば、多翼ファン）によって空気浄化装置本体１内に吸込み、吸込空気４に含有される油脂成分を空気浄化装置本体１の吸込口５と排出口６間との通風路を形成するケース７内に吸込空気４に含有される油脂成分を浄化するモーター８（例えば、ＡＣモーター）と多孔板９とからなる浄化部と、浄化部の下部を収納して洗浄する洗浄部１０と、洗浄水（例えば、市水若しくは有機溶剤）を貯蔵する貯蔵部１１と、洗浄水を洗浄部１０に供給する供給手段としての供給ポンプ１２と、洗浄部１０に微細気泡を発生する微細気泡発生部１３と、微細気泡発生部１３と洗浄部１０とを洗浄水を循環させる循環手段としての循環ポンプ１４と、洗浄部１０から洗浄水を排出する排出手段としての排出ポンプ１５と、排出手段によって排出される洗浄水を貯蔵する排出部１６と、空気浄化装置本体１を制御する制御部１７と、から構成している。
【００２９】
空気浄化装置本体１の浄化部の洗浄時には、吸込空気４に含有される油脂成分を付着した多孔板９の一部は、貯蔵部１１に供給された洗浄水を供給ポンプ１２によって洗浄部１０に供給し、洗浄部の洗浄水に浸漬される。洗浄部１０に供給された洗浄水は、循環ポンプ１４によって微細気泡発生部１３と洗浄部１０とを循環する。微細気泡発生部１３は、循環ポンプ１４によって洗浄部１０と微細気泡発生部１３間に洗浄水の循環流を発生させて、洗浄水の旋回流に小型送風ポンプ（例えば、圧電素子を用いたもの）から空気を送り込み、微細（例えば、数１０マイクロメートル）気泡を生成させる。微細気泡発生部１３から洗浄部１０へと供給された微細気泡は、洗浄部１０の洗浄水に浸漬した油脂成分の付着した多孔板９の油分子に作用し、油分子の親和性によって、油分子の疎水基は微細気泡にむけて吸着され、多孔板９は脱脂される。
【００３０】
従って、浄化部の多孔板に付着した吸込空気に含有される油脂成分を洗浄部内に微細気泡発生部から供給された微細気泡によって浄化部から脱脂し、空気浄化装置のお掃除性を向上させて、通風量の低下を防止することのできる洗浄機能付空気浄化装置を提供することができる。
【００３１】
また、実施の形態１の洗浄機能付空気浄化装置は、浄化部の多孔板９を洗浄する際に、洗浄部１０の洗浄水に浸漬した多孔板９の一部の洗浄が完了すると、モーター８を駆動して多孔板９を回転駆動させ、未洗浄箇所の多孔板９の下部を洗浄部１０の洗浄水に浸漬させて洗浄するように制御しているので、浄化部の多孔板９に付着した油脂成分を全ての箇所で脱脂することができ、お掃除性を向上することができる。
【００３２】
また、実施の形態１の洗浄機能付空気浄化装置は、浄化部の多孔板９の一部を洗浄して他部を洗浄する際に、排出ポンプ１５によって微細気泡に吸着された油脂成分を含有した洗浄水を排出部１６に排出して、再度貯蔵部１１から供給ポンプ１２によって洗浄水を洗浄部１０に供給して、モーター８を駆動させ多孔板９を回転駆動させ、未洗浄箇所の多孔板９の下部を洗浄部１０にて洗浄するように制御しているので、洗浄が完了した浄化部の多孔板９の一部に、微細気泡に吸着された油分子が再付着することなく、効率的に浄化部を線除することができる。
【００３３】
また、実施の形態１の洗浄機能付空気浄化装置は、浄化部の多孔板９が洗浄部１０に貯蔵部１１から供給された洗浄水に浸漬されて、洗浄する際に、微細気泡発生部１３から微細気泡を供給した状態で、浄化部の多孔板９をモーター８によって低速で回転駆動するように制御している。
【００３４】
このように制御することで、微細気泡による脱脂とモーターの駆動による遠心力との相乗効果によって、浄化部を効率よく洗浄することができる。
【００３５】
また、実施の形態１の洗浄機能付空気浄化装置は、浄化部の洗浄の際に、モーター８によって、浄化部の多孔板９を所定の角度間（例えば、６０度）を正転と逆転を反復回転駆動するように制御している。
【００３６】
このように制御することで、微細気泡による脱脂と、モーターの駆動による遠心力と多孔板が洗浄水に着水する際の衝撃力によって、浄化部の洗浄性能を向上させることができる。
【００３７】
また、実施の形態１の洗浄機能付空気浄化装置は、浄化部を洗浄した後、洗浄部と微細気泡発生部間に洗浄水を循環させて、排出手段によって排出部１６に排出し、再度洗浄水を循環させるように制御している。
【００３８】
このように制御することで、浄化部の多孔板９に付着した油脂成分を脱脂したことにより、洗浄部１０の洗浄水に油脂成分を吸着した微細気泡が、循環ポンプ１４によって循環ポンプ１４と微細気泡発生部１３間の洗浄水の流路を流通するため、油脂成分の流路への付着があるが、洗浄後に複数回洗浄水を循環させることで、流路内の油脂成分も微細気泡に吸着され脱脂されるため、流路が油脂成分によって目詰まりすることなく、効率的に洗浄することができる。
【００３９】
（実施の形態２）
以下、本発明の実施の形態２について図２を参照しながら説明する。実施の形態１と同一部分は同一番号を附し、詳細な説明を省略する。
【００４０】
図２に示すように、空気浄化装置本体１は、お知らせ手段としての表示部１８（例えば、ＬＥＤ）と、制御部１７内に具備された記憶手段としての記憶部（例えば、メモリー）と、から構成されている。
【００４１】
上記の構成により、空気浄化装置本体１の使用時間に応じて浄化部の多孔板９に付着する油脂成分が増加するため、空気浄化装置本体１の使用時間を積算して、制御部１７の記憶部に積算時間を記憶し、所定の時間（例えば、２４時間）以上空気浄化装置本体１を使用した場合、予め貯蔵部１１に貯蔵しておいた洗浄水を洗浄部１０に供給して、浄化部の洗浄を行うように制御する。その際、空気浄化装置本体１の洗浄に関わる部分を駆動させていることを表示部１８に点灯若しくは点滅する表示して、空気浄化装置本体１の使用者が浄化部の洗浄が行われていることを認識するように制御部１７から制御する。その際、浄化部の洗浄が行われている際でも、空気浄化装置本体１の使用者が通常の空気浄化装置の使用を指示した場合、浄化部の洗浄を直に停止するように制御する。
【００４２】
このように制御することで、空気浄化装置本体１の使用時間に応じて増加する浄化部の多孔板への油脂成分の付着による汚れを微細気泡と油分子とを接触させる時間を増加させて脱脂することにより、空気浄化装置のお掃除性を向上することができる。また、空気浄化装置の使用者が浄化部の洗浄が行われているのかどうかを認識することができるため、使用者の使い勝手を向上することができる。
【００４３】
（実施の形態３）
以下、本発明の実施の形態３について図３を参照しながら説明する。実施の形態１から２と同一部分は同一番号を附し、詳細な説明を省略する。
【００４４】
図３に示すように、空気浄化装置本体１は、お知らせ手段としての表示部１８（例えば、ＬＥＤ）と、洗浄部１０の中に設けられた水位検出手段としての水位検出部１９（例えば、ホール素子）と、から構成されている。
【００４５】
上記の構成により、洗浄部１０に供給された洗浄水の量が浄化部の多孔板９の下部が浸漬するために必要な所定の量（例えば、浄化部の多孔板９の５０％を浸漬する水位）  を確保できていない場合に、水位検出部１９から制御部１７へ信号を出力し、浄化部の洗浄を停止すると共に、表示部１８に洗浄部に供給された洗浄水が所定の量を確保できていないことを点灯若しくは点滅するように制御する。
【００４６】
このように制御することで、浄化部の洗浄を適切に行い空気浄化装置のお掃除性を向上させると共に、空気浄化装置の使用者が浄化部の洗浄が適切に行われているのかどうかを認識させることができるため、使用者の使い勝手を向上することができる。
【００４７】
（実施の形態４）
以下、本発明の実施の形態４について図４を参照しながら説明する。実施の形態１から３と同一部分は同一番号を附し、詳細な説明を省略する。
【００４８】
図４に示すように、空気浄化装置本体１に排出部１６の有無を検出する排出部検出手段としての排出検出部２０（例えば、接触センサ）を具備して構成される。
【００４９】
空気浄化装置本体１に排出部１６が適切に配置されなかった場合、排出検出部２０から排出部１６への洗浄水の排出を停止して、空気浄化装置本体１の使用者に排出部１６異常であることを制御部１７へ信号を出力し、浄化部の洗浄を停止すると共に、表示部１８に排出部１６が異常であることを点灯若しくは点滅して表示し、浄化部の洗浄を停止するように制御する。
【００５０】
このように制御することで、浄化部に付着した油脂成分を脱脂したことにより、洗浄部の洗浄水に含有される洗浄水が空気浄化装置本体から排出手段によって本来回収される場所以外の場所に排出されることを防止して、空気浄化装置の使い勝手を向上させることができる。
【００５１】
（実施の形態５）
以下、本発明の実施の形態５について図５を参照しながら説明する。実施の形態１から４と同一部分は同一番号を附し、詳細な説明を省略する。
【００５２】
図５に示すように、空気浄化装置本体１の排出口６に通風量を測定する風量測定部２１（例えば、微差圧センサ）を具備して構成される。
【００５３】
浄化部を所定の回数（例えば、１０回）洗浄した後に、風量測定部２１によって通風量を測定し、検出された通風量が所定の値（例えば、１００ｍ３／時間）を継続して下回った場合、洗浄部１０を異常と認識して、表示部１８に洗浄部１０が異常であることを点灯若しくは点滅して表示するように制御する。
【００５４】
このように制御することで、洗浄部が正常に機能して浄化部に付着する油脂成分による通風量の低下を抑制する本来の洗浄部の動作が不良なために、浄化部に付着する油脂成分によって、適切な通風量が確保できないことを防止し、空気浄化装置のお掃除性を向上させるとともに、空気浄化装置の使用者に洗浄部の異常を認識させて、使い勝手を向上させることができる。
【産業上の利用可能性】
【００５５】
本発明の洗浄機能付空気浄化装置の微細気泡発生手段と浄化部の洗浄を行う制御は、油脂成分の付着によって汚染して通風量が低減するような通風路の洗浄に用いることで、通風量の減少を抑制することができる。
【符号の説明】
【００５６】
１    空気浄化装置本体
２    吸気モーター
３    吸込ファン
４    吸込空気
５    吸込口
６    排出口
７    ケース
８    モーター
９    多孔板
１０  洗浄部
１１  貯蔵部
１２  供給ポンプ
１３  微細気泡発生部
１４  循環ポンプ
１５  排出ポンプ
１６  排出部
１７  制御部
１８  表示部
１９  水位検出部
２０  排出検出部
２１  風量測定部
【図１】
2011038743.tif 000003
【図２】
2011038743.tif 000004
【図３】
2011038743.tif 000005
【図４】
2011038743.tif 000006
【図５】
2011038743.tif 000007